(57)【要約】【課題】従来よりもフレーム間における滑らかな輝度レベルの移行を実現する。【解決手段】処理対象とするフレームを、予め定められた複数の矩形のブロックに分割する分割ステップＳ１０と、分割されたブロック毎に、輝度に係る特徴量を算出する特徴量算出ステップＳ２５と、処理対象となるフレームにおける、第１水平境界線よりフレーム上方側に位置する第１ブロックそれぞれから算出された特徴量と、前回処理対象となったフレームにおける、第１水平境界線よりフレーム下方側に位置する１以上のブロックそれぞれから算出された特徴量とに基づいて第１補正データを算出する補正データ算出ステップとＳ５５と、補正データが算出された場合に、その補正データに基づいて、処理対象となるフレームの第１ブロックに含まれる画素の輝度を補正する補正ステップＳ６０とを含む。【選択図】図６
2018025619.tif 000002
【特許請求の範囲】
【請求項１】
連続する複数のフレームからなる映像信号を、フレーム順に処理する映像信号処理方法であって、
処理対象とするフレームを、前記複数のフレームにおいて共通の方法で、予め定められた複数の矩形のブロックに分割する分割ステップと、
前記分割ステップによって分割されたブロック毎に、輝度に係る特徴量を算出する特徴量算出ステップと、
処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出ステップと、
前記補正データ算出ステップによって前記第１補正データが算出された場合に、当該第１補正データに基づいて、処理対象となるフレームの前記第１ブロックに含まれる画素の輝度を補正する補正ステップとを含む
映像信号処理方法。
【請求項２】
前記分割ステップでは、前記第１水平境界線を含む１以上の分割水平線と、０以上の分割垂直線とを分割境界線とすることで前記分割を行い、
前記補正データ算出ステップでは、さらに、処理対象とするフレームにおいて、前記特徴量算出ステップによって、最もフレーム下方側に位置する分割水平線である最下位水平境界線よりフレーム上方側に位置するブロックそれぞれから前記特徴量が算出された後に、前記最下位水平境界線よりフレーム下方側に位置する最下位ブロックそれぞれから前記特徴量が算出されることで、当該フレームにおける全ブロックから前記特徴量が算出された場合に、当該フレームにおける全ブロックそれぞれから算出された特徴量に基づいて、最下位補正データを算出し、
前記補正ステップでは、さらに、前記補正データ算出ステップによって前記最下位補正データが算出された場合に、当該最下位補正データに基づいて、処理対象となるフレームの前記最下位ブロックに含まれる画素の輝度を補正する
請求項１記載の映像信号処理方法。
【請求項３】
前記補正データ算出ステップでは、さらに、処理対象とするフレームにおいて、前記分割ステップが、前記分割における分割境界線となる分割水平線に、前記第１水平境界線より１つフレーム下方側であって、前記最下位水平境界線よりフレーム上方側に位置する第２水平境界線を含んで、前記分割を行った場合において、前記特徴量算出ステップによって、前記第１ブロックそれぞれから前記特徴量が算出された後に、前記第１水平境界線よりフレーム下方側かつ前記第２水平境界線よりフレーム上方側に位置する第２ブロックそれぞれから前記特徴量が算出されたときに、処理対象となるフレームにおける前記第１ブロック及び前記第２ブロックそれぞれから算出された前記特徴量と、前回処理対象となったフレームにおける前記第２水平境界線より下に位置するブロックそれぞれから算出された前記特徴量とに基づいて第２補正データを算出し、
前記補正ステップでは、さらに、前記補正データ算出ステップによって前記第２補正データが算出された場合に、当該第２補正データに基づいて、処理対象となるフレームの前記第２ブロックに含まれる画素の輝度を補正する
請求項２記載の映像信号処理方法。
【請求項４】
前記特徴量算出ステップでは、処理対象のブロックに含まれる各画素についての輝度の平均値を前記特徴量として算出することで、前記特徴量の算出を行う
請求項１〜３のいずれか１項に記載の映像信号処理方法。
【請求項５】
前記特徴量算出ステップでは、処理対象のブロックに含まれる各画素についての輝度のヒストグラムを前記特徴量として算出することで、前記特徴量の算出を行う
請求項１〜３のいずれか１項に記載の映像信号処理方法。
【請求項６】
前記補正データ算出ステップでは、各ブロックについて、当該ブロックの特徴量に対して、当該ブロックの周囲に位置するブロックの特徴量を用いたローパスフィルタリング処理を行うことで変形特徴量を算出し、算出した各ブロックの変形特徴量を用いて、前記第１補正データの算出を行う
請求項１〜５のいずれか１項に記載の映像信号処理方法。
【請求項７】
前記補正データ算出ステップでは、各ブロックについて、当該ブロックの変形特徴量と、当該ブロックの周囲に位置するブロックの変形特徴量とを用いるアップコンバート処理を行うことで、当該ブロックを構成する各画素の画素特徴量を算出し、算出した各画素の画素特徴量を用いて、前記第１補正データの算出を行う
請求項６記載の映像信号処理方法。
【請求項８】
連続する複数のフレームからなる映像信号を、フレーム順に処理する映像信号処理用集積回路であって、
処理対象とするフレームを、前記複数のフレームにおいて共通の方法で、予め定められた複数の矩形のブロックに分割する分割部と、
前記分割部によって分割されたブロック毎に、輝度に係る特徴量を算出する特徴量算出部と、
処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出部と、
前記補正データ算出部によって前記第１補正データが算出された場合に、当該第１補正データに基づいて、処理対象となるフレームの前記第１ブロックに含まれる画素の輝度を補正する補正部とを含む
映像信号処理用集積回路。
【請求項９】
連続する複数のフレームからなる映像信号を、フレーム順に処理する映像信号処理装置であって、
処理対象とするフレームを、前記複数のフレームにおいて共通の方法で、予め定められた複数の矩形のブロックに分割する分割部と、
前記分割部によって分割されたブロック毎に、輝度に係る特徴量を算出する特徴量算出部と、
処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出部と、
前記補正データ算出部によって前記第１補正データが算出された場合に、当該第１補正データに基づいて、処理対象となるフレームの前記第１ブロックに含まれる画素の輝度を補正する補正部とを含む
映像信号処理装置。
【発明の詳細な説明】
【技術分野】
【０００１】
本発明は、複数のフレームからなる映像信号を処理する映像信号処理方法、映像信号処理用集積回路、及び映像信号処理装置に関する。
【背景技術】
【０００２】
従来、フレーム毎に、そのフレームに含まれる画素の輝度についての特徴量を取得し、取得した特徴量に基づいて、そのフレームに含まれる画素の輝度を補正する技術が知られている（例えば、特許文献１参照）。
【０００３】
この技術を利用することで、フレーム毎に、そのフレームの輝度に適したコントラストの画像を生成することができる。
【先行技術文献】
【特許文献】
【０００４】
【特許文献１】特開平５−２７７３６号公報
【発明の概要】
【発明が解決しようとする課題】
【０００５】
しかしながら、上記従来の技術では、フレーム単位で輝度を補正するため、例えば、シーンチェンジ時といった、フレーム間で輝度レベルが比較的大きく変化する場合等において、フレーム間における滑らかな輝度レベルの移行を実現することが難しい。
【０００６】
そこで、本発明は、係る問題に鑑みてなされたものであり、従来よりも、フレーム間における滑らかな輝度レベルの移行を実現し得る映像信号処理方法、映像信号処理用集積回路、及び映像信号処理装置を提供することを目的とする。
【課題を解決するための手段】
【０００７】
本発明の一態様に係る映像信号処理方法は、連続する複数のフレームからなる映像信号を、フレーム順に処理する映像信号処理方法であって、処理対象とするフレームを、前記複数のフレームにおいて共通の方法で、予め定められた複数の矩形のブロックに分割する分割ステップと、前記分割ステップによって分割されたブロック毎に、輝度に係る特徴量を算出する特徴量算出ステップと、処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出ステップと、前記補正データ算出ステップによって前記第１補正データが算出された場合に、当該第１補正データに基づいて、処理対象となるフレームの前記第１ブロックに含まれる画素の輝度を補正する補正ステップとを含むことを特徴とする。
【０００８】
本発明の一態様に係る映像処理用集積回路は、連続する複数のフレームからなる映像信号を、フレーム順に処理する映像信号処理用集積回路であって、処理対象とするフレームを、前記複数のフレームにおいて共通の方法で、予め定められた複数の矩形のブロックに分割する分割部と、前記分割部によって分割されたブロック毎に、輝度に係る特徴量を算出する特徴量算出部と、処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出部と、前記補正データ算出部によって前記第１補正データが算出された場合に、当該第１補正データに基づいて、処理対象となるフレームの前記第１ブロックに含まれる画素の輝度を補正する補正部とを含むことを特徴とする。
【０００９】
本発明の一態様に係る映像信号処理装置は、連続する複数のフレームからなる映像信号を、フレーム順に処理する映像信号処理装置であって、処理対象とするフレームを、前記複数のフレームにおいて共通の方法で、予め定められた複数の矩形のブロックに分割する分割部と、前記分割部によって分割されたブロック毎に、輝度に係る特徴量を算出する特徴量算出部と、処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出部と、前記補正データ算出部によって前記第１補正データが算出された場合に、当該第１補正データに基づいて、処理対象となるフレームの前記第１ブロックに含まれる画素の輝度を補正する補正部とを含むことを特徴とする。
【発明の効果】
【００１０】
本発明に係る映像信号処理方法、映像信号処理用集積回路、及び映像信号処理装置では、処理対象となるフレームにおける第１ブロックの画素の輝度は、処理対象となるフレームに含まれるブロックの輝度に係る特徴量と、前回処理対象となったフレームに含まれるブロックの輝度に係る特徴量との双方に基づいて補正されることとなる。
【００１１】
このため、本発明に係る映像信号処理方法、映像信号処理用集積回路、及び映像信号処理装置によると、従来よりも、フレーム間における滑らかな輝度レベルの移行を実現し得る。
【図面の簡単な説明】
【００１２】
【図１】図１は、映像表示装置の外観図である。
【図２】図２は、映像表示装置の構成を示すブロック図である。
【図３】図３は、映像信号処理装置の構成を示すブロック図である。
【図４】図４は、特徴量算出部が利用する、各ブロックの特徴量を示す模式図である。
【図５】図５は、補正データ算出部１３０の構成を示すブロック図である。
【図６】図６は、映像信号処理のフローチャートである。
【図７】図７は、映像表示装置の構成を示すブロック図である。
【図８】図８は、映像信号処理装置の構成を示すブロック図である。
【図９】図９は、輝度のヒストグラムの一例を示す図である。
【図１０】図１０は、補正データ算出部の構成を示すブロック図である。
【図１１】図１１は、補正関数の一例を示す図である。
【図１２】図１２は、変形映像信号処理のフローチャートである。
【発明を実施するための形態】
【００１３】
以下、本発明の一態様に係る映像表示装置の実施形態について、図面を用いて説明する。なお、以下に説明する実施の形態は、いずれも本発明における好ましい一具体例を示すものである。したがって、以下の実施の形態で示される、数値、形状、材料、構成要素、構成要素の配置位置および接続形態、工程、並びに、工程の順序などは、一例であって本発明を限定する主旨ではない。よって、以下の実施の形態における構成要素のうち、本発明における最上位概念を示す独立請求項に記載されていない構成要素については、任意の構成要素として説明される。
【００１４】
なお、各図は、模式図であり、必ずしも厳密に図示されたものではない。また、各図において、実質的に同一の構成に対しては同一の符号を付しており、重複する説明は省略又は簡略化する。
【００１５】
（実施の形態１）
＜概要＞
ここでは、本発明の一態様として、連続する複数のフレームからなる映像信号を処理する映像信号処理装置について説明する。
【００１６】
この映像信号処理装置は、各フレームについて、ラインスキャン方式により、フレーム最上位側に位置するラインから下位側へと順に、ライン単位で映像信号が入力される。そして、処理対象とするフレームを、水平境界線で８分割、垂直境界線で１０分割することで、８０個のブロックに分割する。また、分割されたブロック単位で、そのブロックに属する画素についての輝度の平均値を、そのブロックの特徴量として抽出する。
【００１７】
この映像表示装置は、処理対象とするフレームにおいて、フレーム上位側から数えて第ｎ（ｎは１以上７以下の整数）番目の水平境界線以上に位置するブロックそれぞれから、そのブロックの特徴量を抽出した場合に、処理対象とするフレームにおける第ｎ番目の水平境界線よりもフレーム上位側に位置する各ブロックの特徴量と、前回処理対象となったフレームにおける第ｎ番目の水平境界線よりフレーム下位側に位置する各ブロックの特徴量とに基づいて、ｎ−１番目の水平境界線よりフレーム下位側であって、第ｎ番目の水平境界線よりフレーム上位側に位置する各ブロックに対して、輝度の補正を行う。
【００１８】
以下、この映像表示装置の詳細について、図面を参照しながら説明する。
【００１９】
＜構成＞
図１は、本実施の形態に係る映像表示装置１の外観図である。図２は、映像表示装置１の構成を示すブロック図である。
【００２０】
これらの図に示す映像表示装置１は、例えば、外部の放送局から送信された放送信号等の映像信号に応じた映像を表示するテレビである。
【００２１】
図２に示されるように、映像表示装置１は、外部信号受信装置２０と、映像信号処理装置１０と、ディスプレイ装置３０とを含んで構成される。
【００２２】
外部信号受信装置２０は、映像信号処理装置１０に映像信号を送信する信号源であり、例えば、放送局から送信された放送信号を受信し、受信した信号をディスプレイ装置３０に適した映像信号に変換して出力する、Ｓｅｔ、ＳＴＢ（Set Top Box）、チューナ等である。外部信号受信装置２０は、例えば、入力された放送信号をデコードすることにより、連続する複数のフレームからなる映像信号を生成し、生成した映像信号を、映像信号処理装置１０へ出力する。ここで、生成する映像信号は、表示されるフレーム順にフレームが並べられるように構成される。また、外部信号受信装置２０は、各フレームにおいて、ラインスキャン方式により、フレーム最上位側に位置するラインから下位側へと順に、ライン単位で映像信号を出力する。
【００２３】
映像信号処理装置１０は、外部信号受信装置２０から出力された、連続する複数のフレームからなる映像信号を、フレーム順に処理する。すなわち、各フレームに対して、そのフレームを構成する画素の輝度を補正する補正データを算出し、算出した補正データに基づいて、そのフレームについての、輝度が補正された映像信号（以下、この映像信号のことを「補正後映像信号」と呼ぶ。）を生成する。そして、生成した補正後映像信号を、ディスプレイ装置３０へ出力する。
【００２４】
映像信号処理装置１０は、例えば、ＬＳＩ（Large Scale Integration）と呼ばれる集積回路によって実現される。
【００２５】
ディスプレイ装置３０は、映像信号処理装置１０から出力された補正後映像信号を用いて映像を表示する、例えば有機ＥＬ（Electro Luminescence）ディスプレイである。
【００２６】
ディスプレイ装置３０は、ＴＣＯＮ４０と、表示部５０とを含んで構成される。
【００２７】
ＴＣＯＮ４０は、映像信号処理装置１０から出力された補正後映像信号を用いて、当該映像信号に応じた映像を表示部５０に表示させるタイミングコントローラ（Timing CONtroller）である。すなわち、ＴＯＣＮ４０は、表示部５０のゲートドライバ（不図示）及びソースドライバ（不図示）に対して、表示用データ信号と共に垂直同期信号及び水平同期信号等の同期信号を出力することにより、表示部５０の各発光画素回路の発光タイミングや、補正後映像信号に応じた輝度で表示部５０を発光させるための信号電圧の書き込みタイミング等を制御する。
【００２８】
ＴＣＯＮ４０は、例えば、ＬＳＩと呼ばれる集積回路によって実現される。
【００２９】
表示部５０は、行列状に配置された複数の発光画素回路を有する発光画素回路アレイである。各発光画素回路は、ゲートドライバに接続される複数のゲート線と、ソースドライバに接続される複数のソース線との交差する位置に配置されている。例えば、各発光画素回路は、信号電圧に応じて発光する有機ＥＬ素子と、有機ＥＬ素子を駆動するトランジスタとを含んで構成される。
【００３０】
図３は、映像信号処理装置１０の構成を示すブロック図である。
【００３１】
図３に示されるように、映像信号処理装置１０は、分割部１１０と、特徴量算出部１２０と、補正データ算出部１３０と、補正部１４０とを含んで構成される。
【００３２】
分割部１１０は、処理対象とするフレームを、複数のフレームにおいて共通の方法で、予め定められた複数の矩形ブロックに分割する。より具体的には、処理対象とするフレームを、水平境界線で８分割、垂直境界線で１０分割することで、８０個のブロックに分割する。
【００３３】
特徴量算出部１２０は、分割部１１０によって分割されたブロック毎に、輝度に係る特徴量を算出する。より具体的には、処理対象のブロックに含まれる各画素についての輝度の平均値を特徴量として算出する。
【００３４】
この特徴量算出部１２０は、フレーム最上位側に位置するブロックから下位側へと順に特徴量の算出を行う。これは、外部信号受信装置２０から、ラインスキャン方式により、フレーム最上位ラインから下位ライン側へと順に、ライン単位で映像信号が入力されてくることから、より早く映像信号が入力されるブロックから順に特徴量の算出を行うことができるようにするためである。また、同じ水平ラインに位置するブロックについては、フレーム最左行側に位置するブロックから右行側へと順に特徴量の算出を行う。
【００３５】
補正データ算出部１３０は、処理対象とするフレームについて、特徴量算出部１２０によって、フレーム上方側から数えて第ｎ（ｎは１以上７以下の整数）番目の分割水平線となる第ｎ水平境界線よりもフレーム上方側に位置するブロックそれぞれから、そのブロックの特徴量が算出された場合に、処理対象とするフレームにおける第ｎ水平境界線よりもフレーム上位側に位置するブロックそれぞれの特徴量と、前回処理対象となったフレームにおける第ｎ水平境界線よりフレーム下方側に位置するブロックそれぞれの特徴量とに基づいて、第ｎ−１水平境界線よりフレーム下位側であって、第ｎ水平境界線よりフレーム上位側以上に位置するブロック（以下、「第ｎブロック」と呼ぶ。）それぞれに含まれる画素の輝度を補正するための補正ゲインを、補正データとして算出する。
【００３６】
図４は、補正データ算出部１３０が、第ｎブロック４００それぞれの補正データを算出する際に利用する、各ブロックの特徴量を図示する模式図である。
【００３７】
図４に示されるように、補正データ算出部１３０は、第ｎブロック４００それぞれの補正データを算出する際には、処理対象とするフレーム（現フレーム）における、第ｎ水平境界線よりフレーム上位側に位置するブロックそれぞれの特徴量と、前回処理対象となったフレーム（前フレーム）における、第ｎ水平境界線よりフレーム下位側に位置するブロックそれぞれの特徴量とに基づいて補正データを算出する。
【００３８】
また、補正データ算出部１３０は、処理対象とするフレームにおいて、特徴量算出部１２０によって、全てのブロックの特徴量が算出された場合に、現フレームの各ブロックそれぞれの特徴量に基づいて、第７水平ラインよりフレーム下位側に位置する第８ブロックそれぞれに含まれる画素の輝度を補正するための補正ゲインを、補正データとして算出する。
【００３９】
例えば、補正データ算出部１３０は、処理対象となるフレームにおける、第１水平境界線よりフレーム上方側に位置する第１ブロックそれぞれから算出された特徴量と、前回処理対象となったフレームにおける、第１水平境界線よりフレーム下方側に位置する１以上のブロックそれぞれから算出された特徴量とに基づいて第１補正データを算出する。ここで、この第１補正データは、第１ブロックそれぞれに含まれる画素の輝度を補正するための補正データのことを言う。
【００４０】
例えば、補正データ算出部１３０は、処理対象とするフレームにおいて、特徴量算出部１２０によって、最もフレーム下方側に位置する分割水平線である最下位水平境界線よりフレーム上方側に位置するブロックそれぞれから特徴量が算出された後に、最下位水平境界線よりフレーム下方側に位置する最下位ブロックそれぞれから特徴量が算出されることで、当該フレームにおける全ブロックから前記特徴量が算出された場合に、当該フレームにおける全ブロックそれぞれから算出された特徴量に基づいて、最下位補正データを算出する。ここで、この最下位補正データは、最下位ブロックそれぞれに含まれる画素の輝度を補正するための補正データのことを言う。
【００４１】
例えば、補正データ算出部１３０は、処理対象とするフレームにおいて、特徴量算出部１２０によって、第１ブロックそれぞれから特徴量が算出された後に、第１水平境界線よりフレーム下方側かつ前記第２水平境界線よりフレーム上方側に位置する第２ブロックそれぞれから特徴量が算出されたときに、処理対象となるフレームにおける第１ブロック及び第２ブロックそれぞれから算出された特徴量と、前回処理対象となったフレームにおける第２水平境界線より下に位置するブロックそれぞれから算出された特徴量とに基づいて第２補正データを算出する。ここで、第２補正データは、第２ブロックそれぞれに含まれる画素の輝度を補正するための補正データのことを言う。
【００４２】
図５は、補正データ算出部１３０の構成を示すブロック図である。
【００４３】
図５に示されるように、補正データ算出部１３０は、ＬＰＦ（Low Pass Filter）部５１０と、ＵＰＣ（UP Converter）部５２０と、補正ゲイン算出部５３０とを含んで構成される。
【００４４】
ＬＰＦ部５１０は、各ブロックについて、そのブロックの特徴量（ここでは、輝度の平均値）に対して、そのブロックの周囲に位置するブロックの特徴量を用いたローパスフィルタリング処理を行うことで変形特徴量を算出する。
【００４５】
ＵＰＣ部５２０は、各ブロックについて、そのブロックの変形特徴量と、そのブロックの周囲に位置するブロックの変形特鋼量とを用いるアップコンバート処理を行うことで、そのブロックを構成する各画素の画素特徴量を算出する。ここでは、対象とする画素の属するブロックの変形特徴量と、そのブロックの周囲に位置するブロックの変形特徴量と用いた線形補完演算を行うことで、アップコンバート処理を実現している。
【００４６】
補正ゲイン算出部５３０は、ＵＰＣ部５２０によって算出された画素特徴量に基づいて、処理対象とするフレームを構成する各画素について、その画素の輝度を補正するための補正データである補正ゲインを算出する。
【００４７】
再び図３に戻って、映像信号処理装置１０の構成についての説明を続ける。
【００４８】
補正部１４０は、補正データ算出部１３０によって、第ｎブロックそれぞれに含まれる画素の補正データ（ここでは補正ゲイン）が算出された場合に、第ｎブロックそれぞれに含まれる画素の輝度を示す輝度値それぞれに対して、対応する補正データ（ここでは補正ゲイン）に基づく補正を行うことで、その画素の輝度を補正する。すなわち、第ｎブロックそれぞれに含まれる画素の輝度を示す輝度値それぞれに対して、対応する補正ゲインを乗算することで、その画素の輝度を補正する。
【００４９】
例えば、補正部１４０は、補正データ算出部１３０によって第１補正データが算出された場合に、その第１補正データに基づいて、処理対象となるフレームの第１ブロックに含まれる画素の輝度を補正する。すなわち、第１ブロックそれぞれに含まれる画素の輝度を示す輝度値それぞれに対して、対応する画素ゲインを乗算することで、その画素の輝度を補正する。
【００５０】
例えば、補正部１４０は、補正データ算出部１３０によって、最下位補正データが算出された場合に、その最下位補正データに基づいて、処理対象となるフレームの最下位ブロックに含まれる画素の輝度を補正する。すなわち、最下位ブロックそれぞれに含まれる画素の輝度を示す輝度値それぞれに対して、対応する画素ゲインを乗算することで、その画素の輝度を補正する。
【００５１】
例えば、補正部１４０は、補正データ算出部１３０によって、第２補正データが算出された場合に、その第２補正データに基づいて、処理対象となるフレームの第２ブロックに含まれる画素の輝度を補正する。すなわち、第２ブロックそれぞれに含まれる画素の輝度を示す輝度値それぞれに対して、対応する画素ゲインを乗算することで、その画素の輝度を補正する。
【００５２】
上記構成の映像表示装置１において、映像信号処理装置１０は、特徴的な動作を行う。
【００５３】
以下、映像信号処理装置１０の行う動作について、図面を参照しながら説明する。
【００５４】
＜動作＞
映像信号処理装置１０は、その特徴的な動作として、映像信号処理を行う。
【００５５】
この映像信号処理は、外部信号受信装置２０から出力された、連続する複数のフレームからなる映像信号に対して、その映像信号のフレームを構成する画素の輝度を補正する補正データを算出し、算出した補正データを用いてその映像信号を補正して、輝度が補正された補正後映像信号を生成する処理である。
【００５６】
図６は、映像信号処理のフローチャートである。
【００５７】
この映像信号処理は、映像信号処理装置１０に対して、外部信号受信装置２０から出力された、連続する複数のフレームからなる映像信号のうち、２番目のフレームに対応するデータが入力され始めることによって開始される。
【００５８】
映像信号処理が開始されると、分割部１１０は、処理対象とするフレームの分割を開始する（ステップＳ１０）。ここでは、分割部１１０は、水平境界線で８分割、垂直境界線で１０分割することで、８０個のブロックに分割する。この分割は、必ずしも、処理対象とするフレームについての全てのデータが分割部１１０に入力され終わるまで待ってから開始される必要はない。ここでは、分割部１１０は、まず、第１水平境界線よりフレーム上方側の画素全てについてのデータが入力された段階で、第１水平境界線よりフレーム下方側の画素についてのデータの入力を待たずに、第１ブロックについての分割を行う。そして、次に、第２水平境界線よりもフレーム上方側の画素全てについてのデータが入力された段階で、第２水平境界線よりフレーム下方側の画素についてのデータの入力を待たずに、第２ブロックについての分割を行う。このように、第ｎ−１ブロックについての分割が終わった後に、第ｎ水平境界線よりフレーム上方側の画素全てについてのデータが入力されると、第ｎ水平境界線よりフレーム下方側の画素のデータの入力を待たずに第ｎブロックについての分割を行うといった要領で、第１ブロックから第８ブロックまで順に、ブロックの分割を行っていく。
【００５９】
処理対象とするフレームの分割が開始されると、特徴量算出部１２０は、１以上の整数値を取り得る変数「ｎ」に「１」の値を代入する（ステップＳ１５）。
【００６０】
変数「ｎ」に「１」の値が代入されると、特徴量算出部１２０は、分割部１１０によって第ｎブロックについての分割が完了されるまで待機する（ステップＳ２０：Ｎｏを繰り返す）。
【００６１】
分割部１１０によって第ｎブロックについての分割が完了されると（ステップＳ２０：Ｙｅｓ）、特徴量算出部１２０は、各第ｎブロックに対して、そのブロックに含まれる画素についての輝度の平均値を、そのブロックの特徴量として算出する（ステップＳ２５）。
【００６２】
各第ｎブロックの特徴量が算出されると、補正データ算出部１３０は、変数「ｎ」の値が「８」であるか否かを調べる（ステップＳ３０）。
【００６３】
ステップＳ３０の処理において、変数「ｎ」の値が「８」でない場合に（ステップＳ３０：ＮＯ）、補正データ算出部１３０は、第１〜第ｎブロックの特徴量として、処理対象とするフレーム（現フレーム）の特徴量を割り当てて、第ｎ＋１〜第８ブロックの特徴量として、前回処理対象となったフレーム（前フレーム）の特徴量を割り当てる（ステップＳ３５）。
【００６４】
ステップＳ３０の処理において、変数「ｎ」の値が「８」である場合に（ステップＳ３０：ＹＥＳ）、補正データ算出部１３０は、各ブロックの特徴量として、処理対象とするフレーム（現フレーム）の特徴量を割り当てる（ステップＳ４０）。ここで言う各ブロックとは、第１〜第８ブロックの各々のことである。
【００６５】
ステップＳ３０の処理、又はステップＳ４０の処理が終了すると、ＬＰＦ部５１０は、割り当てられた特徴量を用いて、各ブロックの特徴量に対してローパスフィルタリング（ＬＰＦ）処理を行って、各ブロックの変形特徴量を算出する（ステップＳ４５）。ここで言う各ブロックとは、第１〜第８ブロックの各々のことである。
【００６６】
各ブロックの変形特徴量が算出されると、ＵＰＣ部５２０は、ＬＰＦ部５１０によって算出された各ブロックの変形特徴量を用いてアップコンバート（ＵＰＣ）処理を行うことで、第ｎブロックに含まれる各画素の画素特徴量を算出する（ステップＳ５０）。
【００６７】
各画素の画素特徴量が算出されると、補正データ算出部１３０は、ＵＰＣ部５２０によって算出された各画素の画素特徴量に基づいて、第ｎブロックに含まれる各画素の補正データである補正ゲインを、補正データとして算出する（ステップＳ５５）。
【００６８】
第ｎブロックに含まれる各画素の補正ゲインが算出されると、補正部１４０は、処理対象とするフレームの第ｎブロックに含まれる画素の輝度を示す輝度値それぞれに対して、対応する補正データである補正ゲインを乗算することで、第ｎブロックに含まれる各画素の輝度を補正する（ステップＳ６０）。
【００６９】
第ｎブロックに含まれる各画素の輝度が補正されると、特徴量算出部１２０は、変数「ｎ」の値が「８」より小さいか否かを調べる（ステップＳ６５）。
【００７０】
ステップＳ６５の処理において、変数「ｎ」の値が「８」より小さい場合に（ステップＳ６５：Ｙｅｓ）、特徴量算出部１２０は、変数「ｎ」の値に「ｎの値＋１」を代入する（ステップＳ７０）。
【００７１】
ステップＳ７０の処理が終了した場合に、映像信号処理装置１０は、ステップＳ２０の処理に進んで、ステップＳ２０以降の処理を繰り返す。
【００７２】
ステップＳ６５の処理において、変数「ｎ」の値が「８」より小さくない場合に（ステップＳ６５：Ｎｏ）、映像信号処理装置１０は、処理対象とするフレームを現フレームの次のフレームに変更して（ステップＳ７５）、ステップＳ１０の処理に進んで、ステップＳ１０以降の処理を繰り返す。
【００７３】
＜考察＞
上記映像信号処理装置１０は、上記映像信号処理を行うことで、処理対象とするフレームについての輝度の補正について、処理対象とするフレームである現フレームを構成するブロックの特徴量と、前回処理対象となったフレームである前フレームを構成するブロックの特徴量との双方が反映されることとなる。
【００７４】
これに対して、例えば、引用文献１に記載される技術を利用して画素の輝度を補正する場合には、処理対象となるフレームの輝度は、処理対象となるフレームのデータのみに基づいて補正されることとなるため、現フレームの輝度の補正には、前フレームの特徴が反映されない。
【００７５】
これらのことから、映像信号処理装置１０は、従来よりも、フレーム間における滑らかな輝度レベルの移行を実現し得ると言える。
【００７６】
（実施の形態２）
＜概要＞
ここでは、本発明の一態様として、実施の形態１における映像表示装置１から、その構成の一部が変更された実施の形態２における映像表示装置について説明する。
【００７７】
実施の形態１における映像表示装置１は、映像信号処理装置１０が、ブロックの特徴量として、そのブロックに含まれる各画素についての輝度の平均値を算出し、補正データとして、各画素に対応する補正ゲインを算出する構成の例であった。
【００７８】
これに対して、実施の形態２における映像表示装置は、映像信号処理装置が、ブロックの特徴量として、そのブロックに含まれる各画素についての輝度のヒストグラムを算出し、補正データとして、画素の輝度を変数とする補正関数を算出する構成の例となっている。
【００７９】
以下、実施の形態２における映像表示装置の詳細について、実施の形態１における映像表示装置１からの変更点を中心に、図面を参照しながら説明する。
【００８０】
＜構成＞
図７は、本実施の形態２に係る映像表示装置２の構成を示すブロック図である。
【００８１】
図７に示されるように、映像表示装置２は、実施の形態１における映像表示装置１から、映像信号処理装置１０が映像信号処理装置７１０となるように変更されている。
【００８２】
映像信号処理装置７１０は、実施の形態１における映像信号処理装置１０と同様に、外部信号受信装置２０から出力された、連続する複数のフレームからなる映像信号を、フレーム順に処理する。すなわち、各フレームに対して、そのフレームを構成する画素の輝度を補正する補正データを算出し、算出した補正データに基づいて、そのフレームについての、輝度が補正された補正後映像信号を生成する。そして、生成した補正後映像信号を、ディスプレイ装置３０へ出力する。
【００８３】
実施の形態１における映像信号処理装置１０と、映像信号処理装置７１０とは、補正後映像信号を生成する過程で算出する、ブロックの特徴量と補正データとにおいて相違している。
【００８４】
すなわち、実施の形態１における映像信号処理装置１０は、ブロックの特徴量として、そのブロックに含まれる各画素についての輝度の平均値を算出するのに対し、映像信号処理装置７１０は、ブロックの特徴量として、そのブロックに含まれる各画素についての輝度のヒストグラムを算出する。
【００８５】
また、実施の形態１における映像信号処理装置１０は、補正データとして、各画素に対応する補正ゲインを算出するのに対し、映像信号処理装置７１０は、補正データとして、画素の輝度を変数とする補正関数を算出する。
【００８６】
図８は、映像信号処理装置７１０の構成を示すブロック図である。
【００８７】
図８に示されるように、映像信号処理装置７１０は、実施の形態１における映像信号処理装置１０から、特徴量算出部１２０が特徴量算出部８２０となり、補正データ算出部１３０が補正データ算出部８３０となり、補正部１４０が補正部８４０となるように変更されている。
【００８８】
特徴量算出部８２０は、分割部１１０によって分割されたブロック毎に、そのブロックに含まれる各画素についての輝度のヒストグラムを特徴量として算出する。
【００８９】
この特徴量算出部８２０は、実施の形態１における特徴量算出部１２０と同様に、フレーム最上位側に位置するブロックから下位側へと順に特徴量の算出を行う。
【００９０】
図９は、特徴量算出部８２０によって算出される輝度のヒストグラムの一例を示す図である。
【００９１】
補正データ算出部８３０は、処理対象とするフレームについて、特徴量算出部８２０によって、第ｎ水平境界線よりもフレーム上位側に位置するブロックそれぞれから、そのブロックの特徴量が算出された場合に、処理対象とするフレームにおける第ｎ水平境界線よりもフレーム上位側に位置するブロックそれぞれの特徴量と、前回処理対象となったフレームにおける第ｎ水平境界線よりフレーム下位側に位置するブロックそれぞれの特徴量とに基づいて、第ｎブロックそれぞれに含まれる画素の輝度を補正するための補正関数を、補正データとして算出する。
【００９２】
また、補正データ算出部８３０は、処理対象とするフレームにおいて、特徴量算出部８２０によって、全てのブロックの特徴量が算出された場合に、現フレームの各ブロックそれぞれの特徴量に基づいて、第７水平ラインよりフレーム下位側に位置する第８ブロックそれぞれに含まれる画素の輝度を補正するための補正関数を、補正データとして算出する。
【００９３】
図１０は、補正データ算出部８３０の構成を示すブロック図である。
【００９４】
図１０に示されるように、補正データ算出部８３０は、実施の形態１における補正データ算出部１３０から、ＬＰＦ部５１０がＬＰＦ部１０１０となり、ＵＰＣ部５２０が削除され、補正ゲイン算出部５３０が補正関数算出部１０３０となるように変更されている。
【００９５】
ＬＰＦ部１０１０は、各ブロックについて、そのブロックの特徴量（ここでは、輝度のヒストグラム）に対して、そのブロックに隣接するブロックの特徴量を用いたローパスフィルタリング処理を行うことで変形特徴量を算出する。
【００９６】
補正関数算出部１０３０は、ＬＰＦ部１０１０によって算出された各ブロックの変形特徴量に基づいて、そのブロックを構成する各画素の輝度を補正するための、画素の輝度を変数とする補正関数を算出する。ここで、この補正関数の算出は、例えば、特許文献１に記載されている、輝度のヒストグラムに基づいて、画素の輝度を変数とする補正関数の算出方法を利用することで実現される。
【００９７】
図１１は、補正関数算出部１０３０によって算出される補正関数の一例を示す図である。
【００９８】
図１１に示されるように、補正関数算出部１０３０によって算出される補正関数は、補正ゲインと補正オフセットとの組み合わせによって表現される関数である。
【００９９】
再び図８に戻って、映像信号処理装置７１０の構成についての説明を続ける。
【０１００】
補正部８４０は、補正データ算出部８３０によって、第ｎブロックそれぞれに含まれる画素の補正データ（ここでは補正関数）が算出された場合に、第ｎブロックそれぞれに含まれる画素の輝度を示す輝度値それぞれに対して、対応する補正データ（ここでは補正関数）に基づく補正を行うことで、その画素の輝度を補正する。すなわち、第ｎブロックそれぞれに含まれる各画素に対して、補正データ算出部８３０によって算出された補正関数を適用することで、その画素の輝度を補正する。
【０１０１】
上記構成の映像表示装置２において、映像信号処理装置７１０は、特徴的な動作を行う。
【０１０２】
以下、映像信号処理装置７１０の行う動作について、図面を参照しながら説明する。
【０１０３】
＜動作＞
映像信号処理装置７１０は、その特徴的な動作として、実施の形態１における映像信号処理装置１０の行う映像信号処理から、その一部の処理が変更された、変形映像信号処理を行う。
【０１０４】
図１２は、変形映像信号処理のフローチャートである。
【０１０５】
この変形映像信号処理は、実施の形態１における映像信号処理と同様に、映像信号処理装置７１０に対して、外部信号受信装置２０から出力された、連続する複数のフレームからなる映像信号のうち、２番目のフレームに対応するデータが入力され始めることによって開始される。
【０１０６】
図１２に示されるように、変形映像信号処理は、実施の形態１における映像信号処理（図６参照）から、ステップＳ２５の処理がステップＳ１２５の処理になり、ステップＳ４５の処理がステップＳ１４５の処理になり、ステップＳ５０の処理が削除され、ステップＳ５５の処理がステップＳ１５５の処理になり、ステップＳ６０の処理が、ステップＳ１６０の処理となるように変更されている。
【０１０７】
ここでは、これら変更された処理を中心に、変形映像信号処理について説明する。
【０１０８】
ステップＳ２０の処理において、分割部１１０によって第ｎブロックについての分割が完了されると（ステップＳ２０：Ｙｅｓ）、特徴量算出部８２０は、各第ｎブロックに対して、そのブロックに含まれる各画素についての輝度のヒストグラムを、そのブロックの特徴量として算出する（ステップＳ１２５）。そして、ステップＳ３０の処理へと進む。
【０１０９】
ステップＳ３０の処理、又はステップＳ４０の処理が終了すると、ＬＰＦ部１０１０は、割り当てられた特徴量を用いて、各ブロックの特徴量に対してローパスフィルタリング（ＬＰＦ）処理を行って、各第ｎブロックの変形特徴量を算出する（ステップＳ１４５）。ここでは、特徴量は、輝度のヒストグラムになっている。このため、ここで言う、輝度のヒストグラムに対して行うローパスフィルタリング処理とは、輝度のヒストグラムにおける輝度範囲毎に、ローパスフィルタリング処理を行う処理のことを言う。
【０１１０】
各第ｎブロックの変形特徴量が算出されると、補正関数算出部１０３０は、算出された各第ｎブロックの変形特徴量に基づいて、そのブロックを構成する各画素の輝度を補正するための、画素の輝度を変数とする補正関数を、補正データとして算出する（ステップＳ１５５）。
【０１１１】
各第ｎブロックの補正関数が算出されると、補正部８４０は、第ｎブロックに含まれる各画素に対して、補正データ算出部８３０によって算出された補正関数を適用することで、第ｎブロックに含まれる各画素の輝度を補正する（ステップＳ１６０）。そして、ステップＳ６５の処理へと進む。
【０１１２】
＜考察＞
上記映像信号処理装置７１０は、上記変形信号処理を行うことで、実施の形態１における映像信号処理装置１０と同様に、処理対象とするフレームについての輝度補正において、処理対象とするフレームである現フレームを構成するブロックの特徴量と、前回処理対象となったフレームである前フレームを構成するブロックの特徴量との双方が反映されることとなる。
【０１１３】
このため、映像信号処理装置７１０は、実施の形態１における映像信号処理装置１０と同様に、従来よりも、フレーム間における滑らかな輝度レベルの移行を実現し得ると言える。
【０１１４】
（補足）
実施の形態１において、本発明の一態様に係る映像信号処理装置１０について説明し、実施の形態２において、本発明の一態様に係る映像信号処理装置７１０について説明した。
【０１１５】
しかしながら、これら映像信号処理装置１０と映像信号処理装置７１０とは、例えば、以下のようにさらに変形することも可能であり、本発明の一態様に係る映像信号処理装置は、実施の形態において記載された通りの映像信号処理装置に限定されないことはもちろんである。
【０１１６】
（１）実施の形態１において、映像信号処理装置１０は、図２に示されるように、映像表示装置１の内部であってディスプレイ装置３０の外部の位置に配置される構成であるとして説明した。しかしながら、映像信号処理装置１０は、外部信号受信装置２０とＴＣＯＮ４０との間の位置に配置される構成であれば、必ずしも、実施の形態１に例示された通りの位置に配置される必要はない。例えば、ディスプレイ装置３０の内部であってＴＣＯＮ４０の外部に配置される構成、ＴＣＯＮ４０内部に配置される構成の例等が考えられる。さらには、映像表示装置１の外部機器に配置される構成の例も考えられる。
【０１１７】
（２）実施の形態１において、映像信号処理装置１０とＴＣＯＮ４０とは、それぞれが、ＬＳＩと呼ばれる集積回路によって実現されるとして説明した。しかしながら、映像信号処理装置１０とＴＣＯＮ４０とは、必ずしも、個別の集積回路として実現される必要はなく、例えば、映像信号処理装置１０とＴＣＯＮ４０との一部又は全部が含まれるように１チップ化された集積回路として実現されても構わないし、他の装置と共に１チップ化された集積回路として実現されても構わない。
【０１１８】
また、映像信号処理装置１０とＴＣＯＮ４０とについての集積回路化の手法は、様々な手法によって実現され得る。例えば、専用回路、又はプログラムを実行する汎用プロセッサによって実現されても構わないし、ＬＳＩ製造後にプログラムすることが可能なＦＰＧＡ（Field Programmable Gate Array）、ＬＳＩ内部回路セルの接続や設定を再構成可能なリコンフィギャラブル・プロセッサによって実現されても構わない。
【０１１９】
（３）実施の形態１において、外部信号受信装置２０は、図２に示されるように、映像表示装置１の内部に配置される構成であるとして説明した。しかしながら、外部信号受信装置２０は、映像信号処理装置１０に映像信号を送信することができる構成であれば、必ずしも、実施の形態１に例示された通りの位置に配置される必要はない。例えば、映像表示装置１に映像信号を送信する、ハードディスクレコーダ、ＤＶＤレコーダ、ＢＤ（Blu-ray（登録商標） Disc）レコーダ等といった外部機器に配置される構成の例等が考えられる。
【０１２０】
（４）実施の形態１において、映像表示装置１は、テレビであるとして説明した。しかしながら、映像を表示する機能を有する装置であれば、必ずしも、テレビである必要はない。例えば、ディスプレイを有するタブレット型携帯端末の例等が考えられる。
【０１２１】
（５）実施の形態１において、分割部１１０は、処理対象とするフレームを、水平境界線で１０分割、垂直境界線で８分割することで、８０個のブロックに分割するとして説明した。しかしながら、分割部１１０は、分割する水平ラインの数が１本以上、分割する垂直ラインの数が０本以上であれば、必ずしも、実施の形態１に記載された通りに分割する必要はない。例えば、水平境界線で１５分割、垂直境界線で１０分割することで、１５０個のブロックに分割する構成の例等が考えられる。
【０１２２】
（６）本発明の一態様に係る映像信号処理方法、映像信号処理用集積回路、及び映像信号処理装置の例について、さらに、以下に記載する。
【０１２３】
（ａ）本発明の一態様に係る映像信号処理方法は、連続する複数のフレームからなる映像信号を、フレーム順に処理する映像信号処理方法であって、処理対象とするフレームを、前記複数のフレームにおいて共通の方法で、予め定められた複数の矩形のブロックに分割する分割ステップと、前記分割ステップによって分割されたブロック毎に、輝度に係る特徴量を算出する特徴量算出ステップと、処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出ステップと、前記補正データ算出ステップによって前記第１補正データが算出された場合に、当該第１補正データに基づいて、処理対象となるフレームの前記第１ブロックに含まれる画素の輝度を補正する補正ステップとを含むことを特徴とする。
【０１２４】
上記映像信号処理方法によると、処理対象となるフレームにおける第１ブロックの画素の輝度は、処理対象となるフレームに含まれるブロックの輝度に係る特徴量と、前回処理対象となったフレームに含まれるブロックの輝度に係る特徴量との双方に基づいて補正されることとなる。
【０１２５】
このため、この映像信号処理方法によると、従来よりも、フレーム間における滑らかな輝度レベルの移行を実現し得る。
【０１２６】
（ｂ）また、前記分割ステップでは、前記第１水平境界線を含む１以上の分割水平線と、０以上の分割垂直線とを分割境界線とすることで前記分割を行い、前記補正データ算出ステップでは、さらに、処理対象とするフレームにおいて、前記特徴量算出ステップによって、最もフレーム下方側に位置する分割水平線である最下位水平境界線よりフレーム上方側に位置するブロックそれぞれから前記特徴量が算出された後に、前記最下位水平境界線よりフレーム下方側に位置する最下位ブロックそれぞれから前記特徴量が算出されることで、当該フレームにおける全ブロックから前記特徴量が算出された場合に、当該フレームにおける全ブロックそれぞれから算出された特徴量に基づいて、最下位補正データを算出し、前記補正ステップでは、さらに、前記補正データ算出ステップによって前記最下位補正データが算出された場合に、当該最下位補正データに基づいて、処理対象となるフレームの前記最下位ブロックに含まれる画素の輝度を補正するとしてもよい。
【０１２７】
これにより、第１ブロックよりも最下位ブロックの方が、前フレームの特徴量よりも現フレームの特徴量の方がより多く反映されることとなる。このため、第１ブロック側から最下位ブロック側に向けて、現フレームの特徴量の影響が増加するように、現フレームの輝度の補正を行うことができるようになる。
【０１２８】
（ｃ）また、前記補正データ算出ステップでは、さらに、処理対象とするフレームにおいて、前記分割ステップが、前記分割における分割境界線となる分割水平線に、前記第１水平境界線より１つフレーム下方側であって、前記最下位水平境界線よりフレーム上方側に位置する第２水平境界線を含んで、前記分割を行った場合において、前記特徴量算出ステップによって、前記第１ブロックそれぞれから前記特徴量が算出された後に、前記第１水平境界線よりフレーム下方側かつ前記第２水平境界線よりフレーム上方側に位置する第２ブロックそれぞれから前記特徴量が算出されたときに、処理対象となるフレームにおける前記第１ブロック及び前記第２ブロックそれぞれから算出された前記特徴量と、前回処理対象となったフレームにおける前記第２水平境界線より下に位置するブロックそれぞれから算出された前記特徴量とに基づいて第２補正データを算出し、前記補正ステップでは、さらに、前記補正データ算出ステップによって前記第２補正データが算出された場合に、当該第２補正データに基づいて、処理対象となるフレームの前記第２ブロックに含まれる画素の輝度を補正するとしてもよい。
【０１２９】
これにより、第１ブロックよりも第２ブロックの方が、前フレームの特徴量よりも現フレームの特徴量の方がより多く反映されることとなる。このため、第１ブロック側から第２ブロック側に向けて、現フレームの特徴量の影響が増加するように、現フレームの輝度の補正を行うことができるようになる。
【０１３０】
（ｄ）また、前記特徴量算出ステップでは、処理対象のブロックに含まれる各画素についての輝度の平均値を前記特徴量として算出することで、前記特徴量の算出を行うとしてもよい。
【０１３１】
これにより、比較的少ない演算量でありながらも、一定程度の品質を有する輝度の補正を行うことができるようになる。
【０１３２】
（ｅ）また、前記特徴量算出ステップでは、処理対象のブロックに含まれる各画素についての輝度のヒストグラムを前記特徴量として算出することで、前記特徴量の算出を行うとしてもよい。
【０１３３】
これにより、比較的少ない演算量でありながらも、一定程度の品質を有する輝度の補正を行うことができるようになる。
【０１３４】
（ｆ）また、前記補正データ算出ステップでは、各ブロックについて、当該ブロックの特徴量に対して、当該ブロックの周囲に位置するブロックの特徴量を用いたローパスフィルタリング処理を行うことで変形特徴量を算出し、算出した各ブロックの変形特徴量を用いて、前記第１補正データの算出を行うとしてもよい。
【０１３５】
これにより、距離の離れたブロックの影響が抑制されるように、輝度の補正を行うことができるようになる。
【０１３６】
（ｇ）また、前記補正データ算出ステップでは、各ブロックについて、当該ブロックの変形特徴量と、当該ブロックの周囲に位置するブロックの変形特徴量とを用いるアップコンバート処理を行うことで、当該ブロックを構成する各画素の画素特徴量を算出し、算出した各画素の画素特徴量を用いて、前記第１補正データの算出を行うとしてもよい。
【０１３７】
これにより、各画素に対して、その画素が属するブロックの周囲のブロックの変形特徴量が反映されるように、輝度の補正を行うことができるようになる。
【０１３８】
（ｈ）本発明の一態様に係る映像信号処理用集積回路は、連続する複数のフレームからなる映像信号を、フレーム順に処理する映像信号処理用集積回路であって、処理対象とするフレームを、前記複数のフレームにおいて共通の方法で、予め定められた複数の矩形のブロックに分割する分割部と、前記分割部によって分割されたブロック毎に、輝度に係る特徴量を算出する特徴量算出部と、処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出部と、前記補正データ算出部によって前記第１補正データが算出された場合に、当該第１補正データに基づいて、処理対象となるフレームの前記第１ブロックに含まれる画素の輝度を補正する補正部とを含むことを特徴とする。
【０１３９】
上記映像信号処理用集積回路によると、処理対象となるフレームにおける第１ブロックの画素の輝度は、処理対象となるフレームに含まれるブロックの輝度に係る特徴量と、前回処理対象となったフレームに含まれるブロックの輝度に係る特徴量との双方に基づいて補正されることとなる。
【０１４０】
このため、この映像信号処理用集積回路によると、従来よりも、フレーム間における滑らかな輝度レベルの移行を実現し得る。
【０１４１】
（ｉ）本発明の一態様に係る映像信号処理用集積回路は、連続する複数のフレームからなる映像信号を、フレーム順に処理する映像信号処理装置であって、処理対象とするフレームを、前記複数のフレームにおいて共通の方法で、予め定められた複数の矩形のブロックに分割する分割部と、前記分割部によって分割されたブロック毎に、輝度に係る特徴量を算出する特徴量算出部と、処理対象となるフレームにおける、第１水平境界線よりフレーム上方側に位置する第１ブロックそれぞれから算出された特徴量と、前回処理対象となったフレームにおける、前記第１水平境界線よりフレーム下方側に位置する１以上のブロックそれぞれから算出された特徴量とに基づいて第１補正データを算出する補正データ算出部と、前記補正データ算出部によって前記第１補正データが算出された場合に、当該第１補正データに基づいて、処理対象となるフレームの前記第１ブロックに含まれる画素の輝度を補正する補正部とを含むことを特徴とする。
【０１４２】
上記映像信号処理装置によると、処理対象となるフレームにおける第１ブロックの画素の輝度は、処理対象となるフレームに含まれるブロックの輝度に係る特徴量と、前回処理対象となったフレームに含まれるブロックの輝度に係る特徴量との双方に基づいて補正されることとなる。
【０１４３】
このため、この映像信号処理装置によると、従来よりも、フレーム間における滑らかな輝度レベルの移行を実現し得る。
【産業上の利用可能性】
【０１４４】
本発明は、複数のフレームからなる映像信号を処理する映像信号処理装置に広く利用可能である。
【符号の説明】
【０１４５】
１  映像表示装置
２  映像表示装置
１０  映像信号処理装置
１１０  分割部
１２０  特徴量算出部
１３０  補正データ算出部
１４０補正部
５１０  ＬＰＦ部
５２０  ＵＰＣ部
５３０  補正ゲイン算出部
７１０  映像信号処理装置
８２０  特徴量算出部
８３０  補正データ算出部
８４０  補正部
１０１０  ＬＰＦ部
１０３０  補正関数算出部
【図１】
2018025619.tif 000003
【図２】
2018025619.tif 000004
【図３】
2018025619.tif 000005
【図４】
2018025619.tif 000006
【図５】
2018025619.tif 000007
【図６】
2018025619.tif 000008
【図７】
2018025619.tif 000009
【図８】
2018025619.tif 000010
【図９】
2018025619.tif 000011
【図１０】
2018025619.tif 000012
【図１１】
2018025619.tif 000013
【図１２】
2018025619.tif 000014